(57)【要約】      （修正有）【課題】光源を利用してカーブ線状、垂直な面を投射するのにより多く利用され、低消費電力、構造や操作が簡単、性能安定な発光ダイオードスポットライトを提供する。【解決手段】本体、本体の上に設けられているスイッチング電源１、電流がスイッチング電源に流れ、整流されてから入力されるプロセス制御マザーボード３を備えてなる。また、プロセス制御マザーボードはデジタル操作制御ボード２に接続し、プロセス制御マザーボードは発光ダイオード基板９上の発光ダイオードを制御、それに接続しているが、発光ダイオードの前に変光構造１８が設けられていることを特徴とする。舞台照明、舞台背景、及び各クラブの通路や大集会場で、光の効果に合わせて広く用いられるが、ハイパワー発光ダイオードを使った場合は、舞台でもクリーン效果が得られ、煙の中でその効果が更に顕著になる。【選択図】図１
0003172027.tif 000002
【実用新案登録請求の範囲】
【請求項１】
本体（１４）、本体の上に設けられるスイッチング電源（１）、デジタル操作制御ボード（２）に接続され、電流がスイッチング電源（１）に流れ込み、整流され、入力されるプロセス制御マザーボード（３）を備えてなり、該プロセス制御マザーボード（３）は、発光ダイオード基板（９）上の発光ダイオード（１５）を制御し、発光ダイオード（１５）の前には、フレネルレンズ（１３）を備えてなる変光構造（１８）が設けられていることを特徴とする発光ダイオードスポットライト。
【請求項２】
該プロセス制御マザーボード（３）は、発光ダイオード基板（９）に載置され、発光ダイオード基板（９）の上には発光ダイオード（１５）アレーが配設され、本体（１４）内にはＢステッピングモーター（７）が設けられ、Ｂステッピングモーター（７）は、主軸がドライブベルト（８）を通ってドライブ軸受（１０）に接続され、発光ダイオード基板（９）の底面にはドライブ軸受（１０）が設けられ、変光構造（１８）は、回折格子（１２）、フレネルレンズ（１３）を備えてなり、本体（１４）内にＡステッピングモーター（６）、Ａステッピングモーター（６）のドライブシャフト（１１）の上に回折格子（１２）が設けられ、回折格子（１２）は発光ダイオード（１５）アレーの前方にあり、複数の発光ダイオード（１５）から放出される光線が、回折格子（１２）を通って投射され、回折格子（１２）の前方には、一個または複数のフレネルレンズ（１３）が設けられていることを特徴とする請求項１に記載の発光ダイオードスポットライト。
【請求項３】
該本体（１４）の上には、液晶ディスプレイパネルを有し、ボタンで制御できるデジタル操作制御ボード（２）、本体（１４）の上には、音声制御システムのプロセス制御マザーボード（３）が設けられ、デジタル操作制御ボード（２）は、表示と制御を行うためのプロセス制御マザーボード（３）に、プロセス制御マザーボード（３）はＡステッピングモーター（６）に接続され，Ａステッピングモーター（６）は断熱アルミ板（２０）に載置されているが、断熱アルミ板（２０）の上には条形発光ダイオード（１５）が配設され、発光ダイオード（１５）の条形の前には、一個または一個以上のフレネルレンズ（１３）が形成され、フレネルレンズ（１３）は、本体（１４）の前端に設けられていることを特徴とする請求項１に記載の発光ダイオードスポットライト。
【請求項４】
該変光構造（１８）は、フレネルレンズ（１３）、二次元回折格子（１７）を備えてなり、回折格子（１２）、発光ダイオード（１５）の前にフレネルレンズ（１３）、フレネルレンズ（１３）の前に二次元回折格子（１７）、二次元回折格子（１７）の前に回折格子（１２）が設けられ、または発光ダイオード（１５）の前にフレネルレンズ（１３）、フレネルレンズ（１３）の前に回折格子（１２）、回折格子（１２）の前に二次元回折格子（１７）が設けられ、または発光ダイオード（１５）の前には二次元回折格子（１７）、二次元回折格子（１７）の前にフレネルレンズ（１３）、フレネルレンズ（１３）の前に回折格子（１２）が設けられ、または発光ダイオード（１５）の前に回折格子（１２）、回折格子（１２）の前にフレネルレンズ（１３）、フレネルレンズ（１３）の前に二次元回折格子（１７）が設けられ、または発光ダイオード（１５）の前に回折格子（１２）、回折格子（１２）の前に二次元回折格子（１７）、二次元回折格子（１７）の前にフレネルレンズ（１３）が設けられ、または発光ダイオード（１５）の前に二次元回折格子（１７）、二次元回折格子（１７）の前に回折格子（１２）、回折格子（１２）の前にフレネルレンズ（１３）が設けられていることを特徴とする請求項１に記載の発光ダイオードスポットライト。
【請求項５】
該フレネルレンズ（１３）の前には二次元回折格子（１７）と回折格子（１２）が設けられ、二次元回折格子（１７）と回折格子（１２）の模様が重なり、またはダイオード基板（９）の上には、縦に並んでいるシリアル接続の複数の発光ダイオード（１５）があり、縦に並んでいるシリアル接続の発光ダイオード（１５）の前には、それと逆方向に並んでいる縞模様の二次元回折格子（１７）と回折格子（１２）が設けられていることを特徴とする請求項４に記載の発光ダイオードスポットライト。
【請求項６】
該プロセス制御マザーボード（３）は入力信号ポート（４）側に接続され、出力信号ポート（５）側に、デジタル操作制御ボード（２）が接続されており、スイッチング電源（１）の上に整流回路、発光ダイオード（１５）アレーの前に回折格子（１２）、回折格子（１２）の前に焦点合わせのフレネルレンズ（１３）が設けられ、または発光ダイオード（１５）アレーは三角形に並べられ、発光ダイオード（１５）アレーの前には、直接に三個のフレネルレンズ（１３）が設けられていることを特徴とする請求項２に記載の発光ダイオードスポットライト。
【請求項７】
該プロセス制御マザーボード（３）は、Ａステッピングモーター（６）、Ｂステッピングモーター（７）、発光ダイオード（１５）アレーに接続されて、それらを制御しており、発光ダイオード基板（９）の上に発光ダイオード（１５）アレーが設けられ、Ａステッピングモーター（６）は、回折格子（１２）を回転させるように、Ｂステッピングモーター（７）は、発光ダイオード（１５）アレーを有する発光ダイオード基板（９）を回転させるようになされており、発光ダイオード（１５）アレーの前に回折格子（１２）、回折格子（１２）の前にフレネルレンズ（１３）が設けられ、複数の発光ダイオード（１５）から放出される光線が同心円のフレネルレンズ（１３）を通って投射されるように設けられていることを特徴とする請求項２に記載の発光ダイオードスポットライト。
【請求項８】
プロセス制御マザーボード（３）は、そこを通った信号を処理したあとの電気信号をＡステッピングモーター（６）へ送り、Ａステッピングモーター（６）は、条形発光ダイオード（１５）を載置した断熱アルミ板（２０）を動かすようになされていることを特徴とする請求項３に記載の発光ダイオードスポットライト。
【請求項９】
該条形発光ダイオード（１５）は、発光ダイオードチップを直線に形成させるように直接に一つの基板に貼り付られ、または条形発光ダイオード（１５）は、発光ダイオードシートを一直線に形成させるように、一つの基板に貼り付けられていることを特徴とする請求項３に記載の発光ダイオードスポットライト。
【考案の詳細な説明】
【技術分野】
【０００１】
本考案は、レンダーリング効果に応用されるためのグラフィックスポットライトに関し、特に、舞台、バー及び公共の場に応用される発光ダイオードスポットライトで、変光構造に合わせて放出されるビームスポットライトに関する。  
【背景技術】
【０００２】
現在、市販されている発光ダイオードスポットライトは、ＵＳＰ５４９００４９に公開された発光ダイオードのように、フレネルレンズの焦点合わせによって単一点から投光されるものや、中国特許２００７２００４９５８７．０に公開されたようにＬＥＤスポットライトはすべて、光学レンズのフレネルレンズを採用、点像のアレーを直接に投射するものがある。また中国特許２００７２００４９５８７．０に公開されたアレー效果を有するスポットライトでは、発光ダイオードの複数の点の並びが直接に同一レンズの焦点合わせによって、点の図形を投射、形成するものがあるが、しかし、点の焦点合わせを通じて、点の組合せによる各種のグラフィックの投射が可能であるが、グラフィックの形式で直接に投射するのはできない。また、その他市販物で投射されたグラフィックライトはいずれも、ハロゲンランプを出力源として、グラフィック孔や、カラーシートを通じてグラフィックを投射することになるが、上述した既存技術では、発光ダイオードが、固定光源から、ビットマップイメージのみを投射し、グラフィックライトの消費電力が大きいという問題がある。上述したように、これら発光ダイオードによる点のみの投射、グラフィックライトの消費電力が大きいという問題を解決することが要望されている。
【考案の概要】
【考案が解決しようとする課題】
【０００３】
既存技術に存在する問題点を解決するため、発光ダイオードが固定光源から投射、放出するという上述した既存技術を改善し、低消費電力、構造や操作が簡単、性能安定で、より多い光源を利用して、カーブ形や垂直面を投射し、レーザーライトがカーブ形や面形を投射する効果により近い発光ダイオードスポットライトを提供すること、発光ダイオードをある形に並べ、その放出した光が、フレネルレンズ、二次元回折格子、回折格子の三部品を通るように設け、この組合せにより、カーブ線や垂直な面の光のスクリーンを投射すること、各種の図形に並べられた発光ダイオードが、直線の回折格子後を経て、フレネルレンズを通じて投射し、更に、回折格子と発光ダイオードの回転によって三次元立体グラフィックを実現させること、投射されたビームによって、各種のグラフィックビームが作られ、断面效果を有する発光ダイオードスポットライトを実現することである。
【課題を解決するための手段】
【０００４】
上述した目的を達成させるため、本考案の発光ダイオードスポットライトでは、以下の技術案を採用している。
スイッチング電源、電流がスイッチング電源に流れ込み、整流され、入力される、ＤＭＸ−５１２システムを有するプロセス制御マザーボードを備えてなり、プロセス制御マザーボードは、ＤＭＸ信号端から入力制御できるので、デジタル操作制御ボード（ＤＩＰまたは液晶ディスプレイとボタン）が制御、処理してもよいが、プロセス制御マザーボードは、発光ダイオード基板上の発光ダイオードを制御し、ＤＭＸ−５１２システムを有するプロセス制御マザーボードは、発光ダイオード基板上の複数の発光ダイオードを制御し、発光ダイオード（ＬＥＤ）の前には、フレネルレンズを備えてなる変光構造が設けられていることを特徴とする発光ダイオードスポットライトを提供する。
【０００５】
また、該変光構造は、フレネルレンズ、二次元回折格子、回折格子を備えてなり、発光ダイオードの前にフレネルレンズ、フレネルレンズの前に普通の回折格子、普通の回折格子の前に二次元回折格子が設けられているが、普通の回折格子と二次元回折格子の位置を交換してもよく、発光ダイオードの前にフレネルレンズ、フレネルレンズの前に二次元回折格子、二次元回折格子の前に普通の回折格子を設け、または発光ダイオードの前に二次元回折格子、二次元回折格子の前にフレネルレンズ、フレネルレンズの前に回折格子を設けて、フレネルレンズと回折格子の位置を交換してよい。また、発光ダイオードの前に二次元回折格子、二次元回折格子の前に回折格子、回折格子の前にフレネルレンズを設け、または発光ダイオードの前に回折格子、回折格子の前にフレネルレンズ、フレネルレンズの前に二次元回折格子を設けて、フレネルレンズと二次元回折格子の位置を交換してもよく、発光ダイオードの前に回折格子、回折格子の前に二次元回折格子、二次元回折格子の前にフレネルレンズを設けて、複数の発光ダイオードから放出される光線が同心円のフレネルレンズを通って投射されるように設けてもよいことを特徴とする。  
【０００６】
更に、該スイッチング電源はプロセス制御マザーボードに接続し、本体には、ＤＭＸ−５１２システムを有するプロセス制御マザーボードが設けられ、ＤＭＸ−５１２システムのプロセス制御マザーボードは、回折格子を回転させるよう導かせるためのＡステッピングモーターに接続、それを制御して、発光ダイオードアレーを有する発光ダイオード基板を回転させるためのＢステッピングモーターと発光ダイオード基板上の発光ダイオード（アレー）を動かすことになるが、プロセス制御マザーボードは発光ダイオード基板に接続し、発光ダイオード基板の上には発光ダイオード（アレー）、本体内にはＢステッピングモーターが設けられ、Ｂステッピングモーターは、主軸がドライブベルトを通ってドライブ軸受に接続し、発光ダイオード基板の底面にはドライブ軸受、本体内にはＡステッピングモーター、Ａステッピングモーターのドライブシャフトの上には回折格子が設けられ、回折格子は発光ダイオード（アレー）の前方にあるが、回折格子の前方には、一個または複数のフレネルレンズが設けられており、回折格子はピッチ１．２５ＭＭ、視野角２９度、厚み１．２５ＭＭ、線数２０  Ｌｉｎｅ／Ｉｎｃｈ（線／インチ）であり、フレネルレンズは溝ピッチ０．３ＭＭ、焦点距離１８５ＭＭで、フレネルレンズは溝ピッチ、焦点距離からなる同心円環であり、発光ダイオード（アレー）は三角形に並べられ、発光ダイオード（アレー）の前には、三個のフレネルレンズが設けられているが、発光ダイオード（アレー）はまた、文字“之”の形または“Ｓ”形などに並べられてもよい。また、発光ダイオード基板の上に発光ダイオード（アレー）、該発光ダイオード（アレー）の前にまっすぐな線の回折格子、まっすぐな線の回折格子の前に焦点合わせのフレネルレンズが設けられており、Ａステッピングモーターは、回折格子を回転させるように導かせ、プロセス制御マザーボードはＡステッピングモーター、Ｂステッピングモーター、発光ダイオード（アレー）に接続、それらを制御し、Ａステッピングモーターは回折格子を回転させるように導かせ、Ｂステッピングモーターは発光ダイオードアレーを有する発光ダイオード基板を回転させるように導かせるが、発光ダイオードアレーの前にまっすぐな線の回折格子、まっすぐな線の回折格子の前にフレネルレンズが設けられており、プロセス制御マザーボードは入力信号ポート側に、プロセス制御マザーボードは出力信号ポート側に、デジタル操作制御ボードはプロセス制御マザーボードに接続しており、発光ダイオード（アレー）の前にまっすぐな線の回折格子、まっすぐな線の回折格子の前に焦点合わせのフレネルレンズが設けられ、発光ダイオード基板の上に発光ダイオード（アレー）、該発光ダイオード（アレー）の前にまっすぐな線の回折格子、まっすぐな線の回折格子の前に焦点合わせのフレネルレンズが設けられており、Ａステッピングモーターは回折格子を、Ｂステッピングモーターは発光ダイオード基板を回転させるように導かせ、スイッチング電源は、ＤＭＸ−５１２システムを有するプロセス制御マザーボードに接続し、プロセス制御マザーボードの上にＤＭＸ−５１２システムの制御回路が設けられ、本体はステッピングモーターが設けら���ているが、電機はプロセス制御マザーボードから発信された指令信号により、異なる回転の仕方を行うことになり、本体の上には操作可能なボタン、装置制御可能なシステムが設けられると同時に、外部に接続するコネクタが設けられることにより、それぞれの同一装置で自動識別・操作制御が行われることになるが、スイッチング電源の上には整流回路が設けられていることを特徴とする。  
【０００７】
その上、該本体の上にプロセス制御マザーボードが設けられ、プロセス制御マザーボードはステッピングモーターに、ステッピングモーターは断熱アルミ板に接続し、断熱アルミ板の上に発光ダイオード（条形）、発光ダイオード（条形）の前に一個または一個以上のフレネルレンズが設けられ、フレネルレンズは本体の前端に設けられているが、プロセス制御マザーボードはデジタル操作制御ボード（ＤＩＰまたは液晶ディスプレイとボタン）に接続、本体の上にスイッチング電源が設けられ、スイッチング電源は整流回路を備えてなり、電流がスイッチング電源に流れ込み、整流されてから、プロセス制御マザーボードへ流れることになり、発光ダイオード（条形）は直接に、発光ダイオードチップが一つの基板の上に貼り付けられ、直線に設けられるが、発光ダイオードシートが一つの基板の上に貼り付けられ、一本の直線に設けられてもよいことを特徴とする。
【０００８】
該フレネルレンズの前には、二次元回折格子と回折格子が設けられ、二次元回折格子と回折格子の模様が重なっており、複数の発光ダイオードから放出された光線が回折格子を通じて投射されることになり、ダイオード基板の上には、縦に並んでいるシリアル接続の複数の発光ダイオードがあり、縦に並んでいるシリアル接続の発光ダイオードの前には、それと逆方向に並んでいる縞模様の二次元回折格子と回折格子が設けられていることを特徴とする。  
【０００９】
本考案の投影効果として、点から立体的な直線、更にカーブ線や垂直な面に変化されるように発展し、それにより、発光ダイオードが発光した有效光源をより有効に利用できるが、二次元回折格子と回折格子の縞模様を調整して重ねたとき、垂直な面の光のスクリーンが投射される効果があり、二次元回折格子と回折格子が重ならないとき、二つのカーブ形のグラフィックが投射されることになり、本考案では、フレネルレンズ，  回折格子、二次元回折格子からなり、相互に組み合わせるための変光構造が設けられているが、それにより、カーブ形または一面にビームが投射されるという效果が達成できる。ハイパワー発光ダイオードをつけると、さらに光のスクリーンが形成されるので、使い方が更に広がるが、煙などがある場合で、その効果が一層顕著になる。本考案は、現在の市販されているスポットライトに比較すれば、市販のスポットライトや立体グラフィックライトと異なり、本考案において、回折格子の縞と二次元回折格子の縞が重なったとき、ビームをカーブ線や垂直な面に投射されるが、線数が多く、二次元回折格子の角度が適当なところにある場合は、同一ライトの前面板が平面状になり、種カーブ断面効果が生じる照明効果があり、１８０度までの投射が可能である。
【００１０】
一般的な発光ダイオードは通常の場合、焦点を合わせて、光の斑のみだけを投射し、発光ダイオードがアレーで並べられても、光の斑のグラフィックを投射するだけであるので本考案はグラフィック状の効果を達成させ、水平棒グラフを投射できるように、現在の発光ダイオード前との対称した距離を置いて直線回折格子を付け加え、フレネルレンズの焦点合わせによる光の投射により、条状のグラフィックを表示でき、それに、回折格子、発光ダイオードなどの回転により、グラフィックを立体的に投射する効果があるが、発光ダイオード基板だけを回転させることによって、発光ダイオード（アレー）を回転させるようにした場合でも、二次元效果が現れる。本考案は、複数の光学装置からなり、立体的効果を投射できる舞台照明が含まれているが、本考案は、プリント基板に発光ダイオード（アレー）を並べ、ステッピングモーターが発光ダイオード板を、ステッピングモーターが回折格子を回転させるように導かせ、それに光学レンズのフレネルレンズを合わせるように設けられているが、発光ダイオード、ステッピングモーターはすべて、プロセス制御マザーボードの制御システムからの信号に応じて、異なる光を放射し、異なる角度の回転を行うことになり、発光ダイオードは投射時、一般的に点から並べられたグラフィックが主であり、直線に並べられても、その中間の隙間が相当に大きいということで、本考案は、発光ダイオードのチップを一緒に貼り付けて、直線状の発光ダイオードのバーに作り上げて、それにより、投射された直線ビームの隙間が小さくなり、投射中、面からのグラフィックを、ステッピングモーターの回転、ＤＭＸ−５１２プロセス制御に、一個または複数のフレネルレンズによって投射して、スモークマシンの效果により、面からなる様々なグラフィック効果が顕著に実現できる。本考案は、構造簡単、実用的で信頼性が高く、省エネ、環境に優しい発光ダイオードスポットライトであり、舞台照明、舞台背景、及び各クラブの通路や大集会場で、光の効果に合わせて広く用いられるが、ハイパワー発光ダイオードを使った場合は、舞台でもクリーン效果が得られ、煙の中でその効果が更に顕著になる。
【図面の簡単な説明】
【００１１】
【図１】本考案の実施例１の構造イメージ。
【図２】本考案の実施例１の発光ダイオード（アレー）イメージ。
【図３】本考案の実施例１のプロセス制御マザーボードのプロセス制御システムイメージ。
【図４】本考案の実施例１の直線回折格子イメージ。
【図５】本考案の実施例１のフレネルレンズと前面板のイメージ。
【図６】図２発光ダイオード（アレー）の並び方で投射されたグラフィック。
【図７】本考案の実施例１の発光ダイオード（アレー）の前にある回折格子とフレネルレンズの光学によって組み合わされたイメージ。
【図８】本考案の実施例１が可動ヘッドライトに組み立てられたときのイメージ。
【図９】回折格子がない場合に投射されたイメージ。
【図１０】本考案の実施例２の構造イメージ。
【図１１】本考案の実施例２で投射されたビーム效果イメージ。
【図１２】本考案の実施例２のフレネルレンズ、二次元回折格子、回折格子からなるイメージ。
【図１３】本考案の実施例２のフレネルレンズ、二次元回折格子、回折格子の所在方向、位置と図形形成との関係図。
【図１４】本考案の実施例２の発光ダイオードが並んでいるイメージ。
【図１５】本考案の実施例３におけるヘッドの単一フレネルレンズの構造図。
【図１６】本考案の実施例３におけるヘッドの複数のフレネルレンズの構造図。
【考案を実施するための形態】
【００１２】
本考案の特徴、技術手段、及び達成させる具体的な目的、機能をより理解し、本考案の長所とコンセプトを説明するために、以下の図面と具体的な実施方法を合わせて、詳しく説明する。
【００１３】
本考案の関連構造は主に以下の部品（または装置）、スイッチング電源１、デジタル操作制御ボード２（ＤＩＰまたは液晶ディスプレイとボタン）、プロセス制御マザーボード３、入力信号ポート４、出力信号ポート５、Ａステッピングモーター６、Ｂステッピングモーター７、ドライブベルト８、発光ダイオード基板９、ドライブ軸受１０、ドライブシャフト１１、回折格子１２、フレネルレンズ１３、本体１４、発光ダイオード１５、投影効果の画像１６、二次元回折格子１７、変光構造１８、発光ダイオード固定スタンド１９、断熱アルミ板２０を備えてなるものである。
【実施例１】
【００１４】
構造部品は図１に示すように、本考案の実施例１は、スイッチング電源１、スイッチング電源１が接続しているプロセス制御マザーボード３が備わり、本体１４の上には、ＤＭＸ−５１２システムプロセス制御回路のプロセス制御マザーボード３が設けられ、ＤＭＸ−５１２システムプロセス制御マザーボード３は、回折格子１２を回転させるように導かせるためのＡステッピングモーター６  、発光ダイオードアレー基板９を回転させるように導かせるためのＢステッピングモーター７、及び発光ダイオード基板９上の発光ダイオード１５（アレー）に接続、それを制御しているが、プロセス制御マザーボード３は発光ダイオード基板９に接続し、発光ダイオード基板９の上には発光ダイオード１５（アレー）、本体１４内にはＢステッピングモーター７が設けられ、Ｂステッピングモーター７は、主軸がドライブベルト８を通ってドライブ軸受１０に接続し、発光ダイオード基板９の底面にはドライブ軸受１０が設けられ、本体１４内にＡステッピングモーター６、Ａステッピングモーター６のドライブシャフト１１の上に回折格子１２が設けられ、回折格子１２は発光ダイオード１５（アレー）の前方にあり、複数の発光ダイオード１５から放出される光線が、回折格子１２を通って投射され、回折格子１２の前方には、一個または複数のフレネルレンズ１３が設けられており、回折格子１２はピッチ１．２５ＭＭ、視野角２９度、厚み１．２５ＭＭ、線数２０  ＬＰＩ（線／インチ）であり、フレネルレンズ１３はピッチ０．３ＭＭ、焦点距離１８５ＭＭで、フレネルレンズ１３は溝ピッチ、焦点距離からなる同心円環であり、発光ダイオード１５（アレー）は三角形に並べられ、発光ダイオード１５（アレー）の前には、三個のフレネルレンズ１３が設けられているが、発光ダイオード１５（アレー）はまた文字“之”の形、または“Ｓ”形などに並べられてもよいが、発光ダイオード基板９の上に発光ダイオード１５（アレー）、該発光ダイオード１５（アレー）の前にまっすぐな線の回折格子１２、まっすぐな線の回折格子１２の前に焦点合わせのフレネルレンズ１３が設けられており、Ａステッピングモーター６は、回折格子１２を回転させるが、プロセス制御マザーボード３は、Ａステッピングモーター６、Ｂステッピングモーター７、発光ダイオード１５（アレー）に接続、それらを制御し、Ａステッピングモーター６は、回折格子１２を回転させ、Ｂステッピングモーター７は発光ダイオード１５（アレー）を有する発光ダイオード基板９を回転させる。発光ダイオード１５（アレー）の前に回折格子１２、回折格子１２の前にフレネルレンズ１３が設けられており、プロセス制御マザーボード３は入力信号ポート４側に、プロセス制御マザーボード３は出力信号ポート５側に、デジタル操作制御ボード２はプロセス制御マザーボード３に接続しており、発光ダイオード１５（アレー）の前にまっすぐな線の回折格子１２、まっすぐな線の回折格子１２の前に焦点合わせのフレネルレンズ１３、発光ダイオード基板９の上に発光ダイオード１５（アレー）が設けられており、該発光ダイオード１５（アレー）の前にまっすぐな線の回折格子１２、まっすぐな線の回折格子１２の前に焦点合わせのフレネルレンズ��３が設けられており、Ａステッピングモーター６は回折格子１２を、Ｂステッピングモーター７は発光ダイオード基板９を回転させるが、スイッチング電源１はＤＭＸ−５１２システムのプロセス制御マザーボード３に接続し、プロセス制御マザーボード３の上に、ＤＭＸ−５１２システムの制御回路が設けられ、本体１４はＡステッピングモーター６が設けられているが、Ｂステッピングモーター７、Ａステッピングモーター６、Ｂステッピングモーター７は、プロセス制御マザーボード３から発信された指令信号に応じて、異なる回転の仕方を行うことになり、本体１４の上には、操作可能なボタン、装置制御可能なシステムが設けられると同時に、外部に接続するコネクタが設けられることにより、それぞれの同一装置で自動識別・操作制御が行われることになり、スイッチング電源１の上には、整流回路が設けられている。
【００１５】
具体的な実施の際、本体１４の上にスイッチング電源１が設けられ、電流がスイッチング電源１に流れ込み、整流されてから、プロセス制御マザーボード３へ流れることになり、プロセス制御マザーボード３システムはそれを処理したあと、指令信号を発信し、Ａステッピングモーター６、Ｂステッピングモーター７、発光ダイオード板の上にある発光ダイオード１５（アレー）を制御することになる。本体１４の上にあるＢステッピングモーター７、ドライブベルト８おの回転によって、軸受１０及び軸受１０の上に設けられている発光ダイオード基板９を回転させるが、發光ダイオード基板９の上に並んでいる発光ダイオード１５（アレー）は、Ａステッピングモーター６の回転軸１１が、回折格子１２を回転させるようになるが、発光ダイオード基板９上にある発光ダイオード１５（アレー）の前から９０ミリメートル離れたところには回折格子１２が設けられ（図１の通り）、回折格子１２の前方から９８ミリメートル離れたところは図７に示すように、フレネルレンズ１３が設けられている。  
【００１６】
発光ダイオードのグラフィックスポットライトは図７に示すように、発光ダイオード１５（アレー）の中の発光ダイオード１５（アレー）が形状“Ｓ”の光を発し、それが回折格子１２を通るが、回折格子１２で散らばった光の縞模様にされ、フレネルレンズ１３の焦点合わせを経て、Ｓ１’，  Ｓ２’，  ・・・・・・．．Ｓｎ’からなるイメージを形成させる投影効果の画像１６になる。例えば、Ａステッピングモーター６の導きによる回折格子１２の回転時にも、発光ダイオード９のＢステッピングモーター７の回転時にも、イメージ形成の投影効果の画像１６は立体的効果があるものになるが、本体１４内には回折格子１２が設けられており、回折格子１２はピッチ１．２５ＭＭ、視野角２９度、厚み１．２５ＭＭ、線数２０ＬＰＩ（図４）であり、また本体１４の上にはフレネルレンズ１３が設けられているが、その溝ピッチ０．３ＭＭ、焦点距離１８５ＭＭ（図５）であり、回折格子１２は凸凹のある縞模様からなり、回折格子１２は設けられたピッチ、角度、厚み、線数からなるものである。フレネルレンズ１３は溝ピッチ、焦点距離からなる同心円環であり、フレネルレンズ１３は異なる焦点距離、ピッチ、厚みの変化に応じて、その間の距離を調整して本装置に設けられることになるが、回折格子１２は、一面は円柱形の縞模様に形成され、一面は完全なる平面のプラスチック材料で、そして、円柱形の線のギャップが同じ距離に設けられていることで、“  回折格子  ”  と呼ばれているが、回折格子１２の変化を行ってもよいが、具体的な角度、厚み、線数などに応じて、その距離を調整、変化させて、用いてもよい。  
【００１７】
本考案は、プロセス制御マザーボード３システムが設けられているが、主な制御システムは舞台照明の国際共通プロトコルＤＭＸ−５１２（図３）によって作られており、発光ダイオード１５（アレー）は三角形に並べられ、その発光ダイオード同士のギャップが非常に小さい（図２）が、発光ダイオード１５（アレー）が光を発したあと、その光が回折格子１２を経て、フレネルレンズ１３に投射されることになるが、本考案に用いられるのは三角形発光ダイオード１５（アレー）は、三個のフレネルレンズ１３（図５，  Ｄ１）が設けられているため、投影効果は図６のＡ，  Ｂ，  Ｃのように異なる効果がある。
【００１８】
本考案は、発光ダイオードの異なる並べ方をも採用しているが、例えば、発光ダイオード１５（アレー）  は文字“之”の形、“Ｓ”形などであり、発光ダイオードは、ハイパワー発光ダイオードを採用してもよく、一個または複数のフレネルレンズ１３を使用してもよいが、それによって異なるグラフィック、輝度、数量が投射される効果があるが、本考案では、例えば図８に示すように、一部の装置を可動ヘッドライトに取り付けても、同じく投影効果のグラフィックが得られる。図９に示すように、回折格子１２をつけない場合で、直接に投射されたグラフィック効果は、本考案の投射されたグラフィックと、全く異なることが明らかである（図６）。
【実施例２】
【００１９】
図１１は、発光ダイオードが本考案の実施例２の変光構造１８によって投射されたビーム效果のイメージであり、本考案の実施例２のメイン筐体１４内にはスイッチング電源１が設けられ、電流がスイッチング電源１に流れ込み、整流されてから、ＤＭＸ−５１２システムを有するプロセス制御マザーボード３へ流れることになるが、プロセス制御マザーボード３は、ＤＭＸ信号端からでも入力制御できる。デジタル操作制御ボード２（ＤＩＰまたは液晶ディスプレイとボタン）が制御、処理してもよい。ＤＭＸ−５１２システムのプロセス制御マザーボード３は、入力信号ポート４、出力信号ポート５に電気的に接続し、発光ダイオード基板９の背面には発光ダイオード固定スタンド１９が設けられており、ＤＭＸ−５１２システムを有するプロセス制御マザーボード３は、発光ダイオード基板９上にある複数の発光ダイオード１５（ＬＥＤ）を制御し、発光ダイオード１５の前には変光構造１８が設けられ、変光構造１８はメイン筐体１４の前端にあるが、変光構造１８は、フレネルレンズ１３、二次元回折格子１７、回折格子１２を備えてなり、複数の発光ダイオード１５の発した光線が、一個の同心円のフレネルレンズ１３によって投射されることになるが、変光構造１８のフレネルレンズ１０、二次元回折格子１７、回折格子１２の間の位置の前後関係は交換してもよい。  
【００２０】
変光構造１８の変化一：  発光ダイオード１５の前にフレネルレンズ１３、フレネルレンズ１３の前に普通の回折格子１２、普通の回折格子１２の前に二次元回折格子１７が設けられているが、発光ダイオード１５の前にフレネルレンズ１３、フレネルレンズ１３の前に二次元回折格子１７、二次元回折格子１７の前に普通の回折格子１２が設けられてもよい。そして、ＤＭＸ−５１２システムを有するプロセス制御マザーボード３が該発光ダイオード１５を制御している。  
【００２１】
変光構造１８の変化二：  発光ダイオード１５の前に二次元回折格子１７、二次元回折格子１７の前にフレネルレンズ１３、フレネルレンズ１３の前に回折格子１２が設けられているが、発光ダイオード１５の前に二次元回折格子１７、二次元回折格子１７の前に回折格子１２、回折格子１２の前にフレネルレンズ１３が設けられてもよい。
【００２２】
変光構造１８の変化三：  発光ダイオード１５の前に普通の回折格子１２、普通の回折格子１２の前にフレネルレンズ１３、フレネルレンズ１３の前に二次元回折格子１７が設けられているが、発光ダイオード１５の前に普通の回折格子１２、普通の回折格子１２の前に二次元回折格子１７、二次元回折格子１７の前にフレネルレンズ１３が設けられてもよい。  
【００２３】
フレネルレンズ１３の前には二次元回折格子１７と回折格子１２が設けられ、二次元回折格子１７と回折格子１２の模様が重なり、またはダイオード基板７の上には、縦に並んでいるシリアル接続の複数の発光ダイオード１５があり、縦に並んでいるシリアル接続の発光ダイオード１５（ＬＥＤ）の前には、それと逆方向に並んでいる縞模様の二次元回折格子１７と普通の回折格子１２（図１４参照）が設けられているが、それによって、垂直の面のスクリーンを投射する効果がある。
【００２４】
具体的な操作として、最適な例では、本体６の上にスイッチング電源１が設けられ、電流がスイッチング電源１に整流されてから、本体６内に設けられている、ＤＭＸ−５１２システムを有するプロセス制御マザーボード３へ流れるが、本体６の上には更に、入力信号ポート４、出力信号ポート５、デジタル操作制御ボード２（ＤＩＰまたは液晶ディスプレイとボタン）、発光ダイオード固定スタンド１９、発光ダイオード基板９、発光ダイオード１５が設けられており、システムプロセス制御マザーボード３は入力信号ポート４と出力信号ポート５に、システムプロセス制御マザーボード３は操作可能なデジタル操作制御ボード２と接続しており、システムプロセス制御マザーボード３は、発光ダイオード基板９の上にある発光ダイオード１５に接続、それを制御している。本体６の前端にはフレネルレンズ１３、二次元回折格子１７、回折格子１２の一変光構造１８が設けられており、発光ダイオード１５の発した光がフレネルレンズ１３、二次元回折格子１７、回折格子１２の変光構造１８を経て、異なるビーム効果が投射される。  
【００２５】
ＤＭＸ−５１２システムのプロセス制御マザーボード３が発信し、発光ダイオード１５が光を発することになり、発光ダイオード１５の発した光が、フレネルレンズ１３を経て、二次元回折格子１７によってビームが二つのグラフィックに分かれるが、それから、回折格子１２によって、その二つをカーブビームで投射することになる。
【００２６】
二次元回折格子１７と回折格子１２の縞模様が重なったとき、投射された二つのグラフィックが同じ直線にあるが、回折格子の線数が一定の範囲内より多い場合は、その投射された光の二直線がつながるようになり、垂直な面のスクリーンを投射する効果があるが、実際に投射した焦点距離により、回折格子１２、フレネルレンズ１３、二次元回折格子１７の前後位置を交換する。  
【００２７】
回折格子の線数が少ないほど、投射される線が太くて短くなり、線数が多いほど、投射される線が細くて長くなるが、本実施例では、７５線の回折格子を使ったら、それを重なることになるが、例えば、回折格子は２０線である場合、その二直線は７５線の場合より太くて重ならないが、同じ直線にある（すなわち、その中間のつながりは一定の距離がある）が、発光ダイオード１５を一直線に並べ、そして、同時に発した光がフレネルレンズ１３を経て、その二次元回折格子の線１１本はその反対方向９０度のところに置かれ、回折格子１２と二次元回折格子１７の縞が重なり、その回折格子の線数も７５線である場合、直線の面が投射される効果があり、輝度も単一発光ダイオード１５の投射光より強くなる。すなわち、複数の発光ダイオード１５の発した光を同じ線に集中すれば、従来の発光ダイオード１５の単一チップに存在する輝度不足という欠点を解決し、発光ダイオード１５の使い方がより完全なものになる。ＤＭＸ−５１２システムのプロセス制御マザーボード３が制御し、縦に並んでいる発光ダイオード１５を同時にシリアル接続にすると、図１４に示すように、縦に並んでいるａ項は、フレネルレンズ１０、二次元回折格子１７、回折格子１２によって、その二次元回折格子１７と回折格子１２の縞が、ａ項の並びとの正反対方向になる（図１４）。
【００２８】
図１１に示すのは、発光ダイオード１５（ＬＥＤ）の発した光が本考案の装置によって投射されたビーム效果のイメージであり、発光ダイオード１５の投射したイメージ形成の原理と言えば、単一発光ダイオード１５の点光源Ｓから発した単一束の光線が、フレネルレンズ１３を経て、イメージ形成の点Ｓ’が生じるが、Ｓ’は二次元回折格子１７によって二つのイメージの点Ｓ１’，  Ｓ１”ができることになり、単一発光ダイオード１５の発した無数の光線がフレネルレンズ１３、二次元回折格子１７を経て、二組のイメージの点Ｓ１’，  Ｓ２’．．．．．．Ｓｎ’とＳ１”，  Ｓ２”．．．．．．Ｓｎ”が形成されるが、この二組のイメージの点は、回折格子１２によって対称で、大きさも同じになる二本のカーブ線状のビームＳ１，  Ｓ２が形成されるが、回折格子１２の位置を回転させることによって、二本のカーブ線状のビームＳ１，  Ｓ２が９０度回転したあと、ビームＳ３のように一本の長い線状になるが、図２に示すように、光Ｓがフレネルレンズ１３に集中され、二次元回折格子１７を経て、二つのグラフィックが投射されるが、更に、回折格子１２を通って、その光が丸いカーブイメージ、すなわち、Ｓ１とＳ２の二カーブ形になるが、二次元回折格子１７と回折格子１２の模様が同一直線に重なったとき、Ｓ３のように投射される。複数の発光ダイオード１５が同一列に同時に点灯されたとき、二次元回折格子１７と回折格子１２の縞模様が重なり、発光ダイオード１５の直線と９０度の反対方向にある場合は、複数のＳ３が投射され、投射されたビームが同一直線で重なり、輝度も強まり、図１４に示すように、ａ，  ｂ，  ｃ，  ｄ，  ｅ，  ｆ，  ｇはそれぞれ一組で、同時に発光可能、そして単一発光可能なものである。  
【００２９】
図１２に示すように、本考案では、フレネルレンズ１３、二次元回折格子１７、回折格子１２を実際に利用し、この三つの光学物を組み合わせてイメージが形成されるもので、フレネルレンズ１３、二次元回折格子１７、回折格子１２が相互に重なり合い、フレネルレンズ１３は焦点距離が発光ダイオード１５と同じく変わらないものであるが、二次元回折格子１７と回折格子１２は実際の状況に応じて調整され、回折格子１２と二次元回折格子１７の位置を相互に交換した場合、光がフレネルレンズ１３を経て、回折格子１２によって条状の光線またカーブ状の光線になり、更に二次元回折格子１７によって二つのグラフィックになるが、そのうえ、回折格子の線数を直線に重ねるときは、より多くの線数のある回折格子を使って、投射される直線が重なり、つながるようになる。  
【００３０】
図１３に示すのはフレネルレンズ１３、二次元回折格子１７、普通の回折格子１２の設置位置及び投影效果によるイメージ形成の関係図であり、例えば、図４のＡ項に示すように、二次元回折格子１７は回折格子１２が重なるが、回折格子が２０線であるとき、形成されるイメージがつながらない。回折格子が７５線を使用した場合、形成されるイメージが重なるようになり、Ｙ軸方向において同一方向で、同一直線にある二本のビームが形成されるが、普通の回折格子の線数により、二本のビームの長さと太さが異なり、回折格子の線数が多いほど、ビームが細くて長くなり、二本のビームが重なるが、回折格子の線数が少ないほど、ビームが太くて短くなり、ビームが重ならない。図１３でのＢ項では、回折格子１２と二次元回折格子１７は、９０度の正反対の位置にあり、回折格子１２が２０線の場合、形成されたイメージは７５線から投射されたイメージより短いが、６７度の二次元回折格子１７と２０線の回折格子１２とは重ならない。二次元回折格子１７の角度が小さくなれば、重なることになり、ｘ軸方向に対称し、同一直線でない二本のカーブ状のビームになり、普通の回折格子の線数により、二本のビームの長さと太さ、カーブ角度の大きさが異なるが、回折格子の線数が多いほど、ビームが細くて長く、カーブの角度が大きくなるが、回折格子の線数が少ないほど、ビームが粗くて短く、カーブの角度が短い。図１３でのＣ項では、Ｙ軸方向に対称し、同一直線でないカーブ状のビームが形成されるが、普通の回折格子の線数により、二本のビームの長さと太さ、カーブ角度の大きさが異なり、回折格子の線数が多いほど、ビームが細くて長く、カーブの角度が大きくなるが、回折格子の線数が少ないほど、ビームが粗くて短く、カーブの角度が短い。図１３でのＤ項では、ｘ軸方向に形成された、方向一致、異なる直線にある平行ビームであり、普通の回折格子の素材により、この二平行ビームの長さが異なる。
【００３１】
本考案でいう回折格子は、一面は円柱形の縞模様に形成され、一面は完全なる平面のプラスチック材料で、そして、円柱形の線のギャップが同じ距離に設けられていることで、“  回折格子  ”  と呼ばれているが、二次元回折格子１７は通常、二つの円柱形が一定の角度で同一面の正反に重なってなるが、本考案での二次元回折格子１７は角６７度（該二次元回折格子１７も通常、液晶ディスプレイ内に用いられる）である。  
【００３２】
本考案で実際に使用したのは、７５線の回折格子１２と６７度の二次元回折格子１７であり、それらは重なることができるが、回折格子の線数が少ないほど、また角度が小さくなれば、重なるようになる。しかし、回折格子の投射角度が１８０度になるとは限らないが、回折格子の線数が高いほど、二次元回折格子１７の角度を増やせば、本考案の効果は達成される。  
【実施例３】
【００３３】
構造部品は図１５、図１６に示すもので、本考案の実施例３の発光ダイオードスポットライトの場合の構造イメージであり、本体１４の上にプロセス制御マザーボード３が設けられ、プロセス制御マザーボード３はＡステッピングモーター６に、Ａステッピングモーター６は断熱アルミ板２０に載置され、断熱アルミ板２０の上に発光ダイオード１５（条形）、発光ダイオード１５（条形）の前に一個または一個以上のフレネルレンズ１３が設けられ、フレネルレンズ１３は本体１４の前端に設けられているが、本体１４の上にスイッチング電源１が設けられ、電流がスイッチング電源１に流れ込み、整流されてから、プロセス制御マザーボード３へ流れることになり、プロセス制御マザーボード３はデジタル操作制御ボード２（ＤＩＰまたは液晶ディスプレイとボタン）に接続しているが、具体的な実施のとき、本体１４の上にはプロトコルＤＭＸ−５１２、音声制御システムプログラムソフトウェアの電子回路制御基板、略称プロセス制御マザーボード３を備えてなり、プロセス制御マザーボード３はＡステッピングモーター６、発光ダイオード１５（条形）に接続し、プロセス制御マザーボード３がまたデジタル操作制御ボード２（ＤＩＰまたは液晶ディスプレイとボタン）、ボタン制御電子回路基板、略称デジタル操作制御ボード２（ＤＩＰまたは液晶ディスプレイとボタン）に接続しているが、本体１４の上にＡステッピングモーター６が設けられ、Ａステッピングモーター６はプロセス制御マザーボード３によって、断熱アルミ板２０を回転させることになるが、図１５に示すように、断熱アルミ板２０の上には発光ダイオード１５（条形）、本体１４の前端にフレネルレンズ１３（フレネルのフレネルレンズと普通のガラスフレネルレンズを含み）が設けられている。図１６に示すように、本体１４の前端には複数のフレネルレンズ１３（フレネルのフレネルレンズと普通の玻璃フレネルレンズを含み）が設けられており、図１６では、発光ダイオード１５（条形）の前に複数のフレネルレンズ１３を設けて投射するが、投射された複数のイメージとビームが形成され、本体１４の上に設けられるデジタル操作制御ボード２で、本装置への操作制御が行えるが、それにより、プロセス制御マザーボード３の幾つかの機能が制御できるが、それは本体１４の上にスイッチング電源１が設けられ、電流がスイッチング電源１に流れ込み、整流されてから、プロセス制御マザーボード３へ流れ込むことになる。  
【００３４】
Ａステッピングモーター６は、プロセス制御マザーボード３の制御によって、断熱アルミ板２０及び断熱アルミ板２０の上に設けられている発光ダイオード１５（条形）を回転させるが、発光ダイオード１５（条形）の発する有效光源内にフレネルレンズ１３が設けられ、本体１４の上にあるスイッチング電源１が整流しあと、電流がプロセス制御マザーボード３へ流れ、プロセス制御マザーボード３の処理を経て、それぞれＡステッピングモーター６と発光ダイオード１５（条形）へ流れることになり、プロセス制御マザーボード３の制御処理によるＡステッピングモーター６及びプロセス制御マザーボード３の制御処理により、発光ダイオード１５（条形）を回転させて、発した有效光がフレネルレンズ１３によって有効に投射されることになる。
【００３５】
本考案の実施例３に掲示した発光ダイオード１５（条形）は、発光ダイオードチップを直接に一つの基板に貼り付け、直線に形成させるようにして、発光ダイオードの隙間を小さくすることができ、投射されたビームのギャップを小さくできる。また、一定の長さにすれば、本考案でいう発光ダイオード１５（条形）になるので、この方法で発光ダイオードシートを一直線で一つの基板に貼り付けて、発光ダイオード自身の隙間を小さくしてから投射してもよいが、これにより、同じ効果が得られるため、本考案の発光ダイオード１５（条形）として用いられるのである。
【００３６】
本考案の実施例３のデジタル操作制御ボード２（液晶ディスプレイパネル）は、ボタンで制御できる制御システムであり、デジタル操作制御ボード２はプロトコルＤＭＸ−５１２（照明業界デジタル化設備の汎用信号制御プロトコルで、それと同時に国際プロトコル）を、プロセス制御マザーボード３は音声制御システムを備えてなるプロセス制御システムである。スイッチング電源１はプロセス制御マザーボード３に接続し、プロセス制御マザーボード３の信号処理を経て、発光ダイオード１５（条形）に流れる。発光ダイオード１５（条形）の発する有效光源内には、一個のフレネルレンズ１３または複数のフレネルレンズ１３を設けて投射することになるが、デジタル操作制御ボード２（ＤＩＰまたは液晶ディスプレイとボタン）は、プロセス制御マザーボード３の表示と制御を行うことができるので、プロセス制御マザーボード３の信号処理を経て、Ａステッピングモーター６に流れ、Ａステッピングモーター６が、発光ダイオード１５（条形）が設けられている断熱アルミ板２０を回転させることになり、プロセス制御マザーボード３の信号処理を経て、発光ダイオード１５（条形）に流れ、回転される断熱アルミ板２０上の発光ダイオード１５（条形）の発する有效光源内には、一個のフレネルレンズ１３または複数のフレネルレンズ１３を設けて（図１６）て、グラフィックやビームを投射することなるが、デジタル操作制御ボード２は、プロセス制御マザーボード３の表示と制御を行うことができるので、スイッチング電源１、整流されてから、プロセス制御マザーボード３に流れることになり、プロセス制御マザーボード３はソフトウェア自身が制御するが、デジタル操作制御ボード２で必要な制御設置を行うことになる。
【００３７】
本考案に掲示した実施例と考えなどはすべて、本考案を説明するために用いられるものであり、それを以って本考案を制限してはならず、本考案の範囲は、実用新案登録請求の範囲に準拠するものとし、その合法な同等物も含まれているものとする。  
【図１】
0003172027.tif 000003
【図２】
0003172027.tif 000004
【図３】
0003172027.tif 000005
【図４】
0003172027.tif 000006
【図５】
0003172027.tif 000007
【図６】
0003172027.tif 000008
【図７】
0003172027.tif 000009
【図８】
0003172027.tif 000010
【図９】
0003172027.tif 000011
【図１０】
0003172027.tif 000012
【図１１】
0003172027.tif 000013
【図１２】
0003172027.tif 000014
【図１３】
0003172027.tif 000015
【図１４】
0003172027.tif 000016
【図１５】
0003172027.tif 000017
【図１６】
0003172027.tif 000018